(57)【要約】  マイク装置は、本体部と、クリップ部と、を備える。本体部は、回路基板を収容可能に構成され、長尺状の外形を備える。クリップ部は、固定部と、延在部と、連結部と、を備える。連結部は、挿入方向に沿った布のスライド移動を規制する。挿入方向は、延在部と本体部との間の空間に布が挿入される方向に対応する。連結部は、布の端部が前方端部よりも挿入方向に沿って突出した位置でスライド移動を規制する。前方端部は、挿入方向前方側の本体部の端部である。
2018147434.tif 000002
【特許請求の範囲】
【請求項１】
ユーザの衣服の布の端部に装着され、前記ユーザの音声を集音するマイク装置であって、
回路基板を収容可能に構成され、長尺状の外形を備える本体部と、
前記本体部に固定される固定部と、前記本体部の長手方向に沿って延在する延在部と、前記固定部及び前記延在部を連結する連結部と、を備えるクリップ部と、
を備え、
前記連結部は、挿入方向に沿った前記布のスライド移動を規制するように構成され、前記挿入方向は、前記延在部と前記本体部との間の空間に前記布が挿入される方向に対応し、
前記延在部及び前記本体部は、前記布を挟持するように構成され、
前記連結部は、前記布の端部が前方端部よりも前記挿入方向に沿って突出した位置で前記スライド移動を規制するように構成され、前記前方端部は、前記挿入方向前方側の前記本体部の端部である、マイク装置。
【請求項２】
請求項１に記載のマイク装置であって、
前記連結部は、前記布の端部に接触して前記スライド移動を規制する第１の部分を備え、
前記第１の部分の少なくとも一部は、前記前方端部よりも前記挿入方向に沿って突出している、マイク装置。
【請求項３】
請求項１又は請求項２に記載のマイク装置であって、
前記前方端部は、マイクユニットが集音するための貫通孔及び／又は前記マイクユニットを備える、マイク装置。
【請求項４】
請求項１又は請求項２に記載のマイク装置であって、
前記クリップ部は、マイクユニットが集音するための貫通孔及び／又は前記マイクユニットを備える、マイク装置。
【請求項５】
請求項１から請求項４までのいずれか１項に記載のマイク装置であって、
前記本体部の重心は、前記前方端部側に位置している、マイク装置。
【請求項６】
請求項５に記載のマイク装置であって、
前記本体部は、前記回路基板よりも重量が大きいバッテリを収容可能に構成され、
前記バッテリは、前記回路基板よりも前記前方端部側に配置される、マイク装置。
【請求項７】
請求項１から請求項６までのいずれか１項に記載のマイク装置であって、
前記マイク装置の電源をオン／オフするように構成され、前記本体部における前記前方端部側に設けられたスイッチ部を更に備えるマイク装置。
【発明の詳細な説明】
【関連出願の相互参照】
【０００１】
本国際出願は、２０１７年２月９日に日本国特許庁に出願された日本国特許出願第２０１７−２２０００号に基づく優先権を主張するものであり、日本国特許出願第２０１７−２２０００号の全内容を本国際出願に参照により援用する。
【技術分野】
【０００２】
本開示は、マイク装置に関する。
【背景技術】
【０００３】
ユーザの音声を集音するマイク装置が知られている（下記特許文献１参照）。
【先行技術文献】
【特許文献】
【０００４】
【特許文献１】特開２００９−１３５６７８号公報
【発明の概要】
【発明が解決しようとする課題】
【０００５】
ところで、ユーザの衣服に装着される小型のマイク装置が知られている。この種のマイク装置には、マイク装置がユーザの衣服に装着された際に当該マイク装置がなるべく目立たないようにしたいという需要があった。【０００６】
本開示の一局面は、目立ちにくいようにユーザの衣服に装着可能なマイク装置を提供できることが望ましい。
【課題を解決するための手段】
【０００７】
本開示の一局面は、ユーザの衣服の布の端部に装着され、ユーザの音声を集音するマイク装置であって、本体部と、クリップ部と、を備える。本体部は、回路基板を収容可能に構成され、長尺状の外形を備える。クリップ部は、固定部と、延在部と、連結部と、を備える。固定部は、本体部に固定される。延在部は、本体部の長手方向に沿って延在する。連結部は、固定部及び延在部を連結する。連結部は、挿入方向に沿った布のスライド移動を規制する。挿入方向は、延在部と本体部との間の空間に布が挿入される方向に対応する。延在部及び本体部は、布を挟持する。連結部は、布の端部が前方端部よりも挿入方向に沿って突出した位置でスライド移動を規制する。前方端部は、挿入方向前方側の本体部の端部である。【０００８】
このような構成によれば、本体部が衣服の内側に位置し、クリップ部が衣服の外側に位置するようにマイク装置が衣服の端部に装着された状態において、本体部が衣服の布で隠れるようにマイク装置を装着することができる。したがって、目立ちにくいようにユーザの衣服に装着可能なマイク装置を提供することができる。【０００９】
本開示の別の一局面では、連結部は、布の端部に接触してスライド移動を規制する第１の部分を備えてもよく、第１の部分の少なくとも一部が、前方端部よりも挿入方向に沿って突出していてもよい。【００１０】
このような構成によれば、布の端部が前方端部よりも挿入方向に沿って突出した位置でスライド移動を規制することができる。
本開示のさらに別の一局面では、前方端部は、マイクユニットが集音するための貫通孔
及び／又はマイクユニットを備えてもよい。【００１１】
このような構成によれば、貫通孔及びマイクユニットが本体部の後方端部に設けられている構成と比較して、貫通孔及び／又はマイクユニットの位置が、ユーザの衣服の端部の縁に近くなる。後方端部は、本体部における前方端部と反対側の端部である。したがって、集音性を向上させることができる。【００１２】
本開示のさらに別の一局面では、クリップ部は、マイクユニットが集音するための貫通孔及び／又はマイクユニットを備えてもよい。
このような構成によれば、本体部が衣服の内側に位置し、クリップ部が衣服の外側に位置するようにマイク装置が衣服の端部に装着された状態において、貫通孔及び／又はマイクユニットが衣服の外側に位置する。したがって、集音性を向上させることができる。【００１３】
本開示のさらに別の一局面では、本体部の重心は、前方端部側に位置していてもよい。
このような構成によれば、本体部の重心が後方端部側に位置している構成と比較して、マイク装置が衣服に装着された際の安定性を向上させることができる。【００１４】
本開示のさらに別の一局面では、本体部は、回路基板よりも重量が大きいバッテリを収容可能に構成されてもよく、バッテリは、回路基板よりも前方端部側に配置されてもよい。【００１５】
このような構成によれば、本体部に収容される部品の位置関係を調節することによって、本体部の重心を前方端部側に位置させることができる。
本開示のさらに別の一局面は、マイク装置の電源をオン／オフするように構成され、本体部における前方端部側に設けられたスイッチ部を更に備えていてもよい。【００１６】
このような構成によれば、スイッチ部が本体部における前方端部及び前方端部の近傍以外の箇所に設けられている構成と比較して、マイク装置が衣服に装着された状態においてユーザがスイッチ部を操作しやすくできる。
【図面の簡単な説明】
【００１７】
【図１】図１Ａ〜図１Ｅは第１実施形態のマイク装置の説明図であって、図１Ａは平面図、図１Ｂは正面図、図１Ｃは右側面図、図１Ｄは背面図、図１Ｅは底面図である。
【図２】マイク装置の装着の仕方の一例を示す図である。
【図３】マイク装置の本体部の内部構成を示す図である。
【図４】図４Ａ〜図４Ｅは第２実施形態のマイク装置の説明図であって、図４Ａは平面図、図４Ｂは正面図、図４Ｃは右側面図、図４Ｄは背面図、図４Ｅは底面図である。
【図５】図５Ａ〜図５Ｅは第３実施形態のマイク装置の説明図であって、図５Ａは平面図、図５Ｂは正面図、図５Ｃは右側面図、図５Ｄは背面図、図５Ｅは底面図である。
【図６】図６Ａ〜図６Ｅは第４実施形態のマイク装置の説明図であって、図６Ａは平面図、図６Ｂは正面図、図６Ｃは右側面図、図６Ｄは背面図、図６Ｅは底面図である。
【図７】図７Ａ及び図７Ｂはマイク装置の本体部の他の内部構成を示す図であって、図７Ａは底面図、図７Ｂは図７ＡのVIIB-VIIB断面の断面図である。
【図８】図８Ａ〜図８Ｆはドックの説明図であって、図８Ａは平面図、図８Ｂは正面図、図８Ｃは右側面図、図８Ｄは背面図、図８Ｅは底面図、図８Ｆは図８ＡのVIIIF-VIIIF断面の断面図である。
【図９】図９Ａ〜図９Ｆはマイク装置がドックにセットされた状態を示す図であって、図９Ａは平面図、図９Ｂは正面図、図９Ｃは右側面図、図９Ｄは背面図、図９Ｅは底面図、図９Ｆは図９ＡのIXF-IXF断面の断面図である。
【図１０】図１０Ａ〜図１０Ｅは第５実施形態のマイク装置の説明図であって、図１０Ａは平面図、図１０Ｂは正面図、図１０Ｃは右側面図、図１０Ｄは背面図、図１０Ｅは底面図である。
【図１１】第５実施形態のマイク装置の装着方法の説明図である。
【符号の説明】
【００１８】
１，４，７，９，１３…マイク装置、２，５，１０，１４…本体部、３，６，８，１１，１５…クリップ部、２５，１０５…回路基板、３１，１１１，１５１…固定部、３２，６２，１１２，１５２…延在部、３３，６３，８３，１１３，１５３ａ，１５３ｂ…連結部。
【発明を実施するための形態】
【００１９】
以下、図面を参照しながら、本開示の例示的な実施形態を説明する。
［１．第１実施形態］
［１−１．構成］
図１Ａ〜図１Ｅに示すマイク装置１は、ユーザの衣服の端部に装着される小型のマイク装置である。本実施形態では、マイク装置１は、図２に示すように、ユーザのビジネスシャツの襟に襟元から襟の奥に差し込まれるようにして装着される。
【００２０】
マイク装置１は、本体部２とクリップ部３とを備える。
図３に示すように、本体部２は、筐体２１、マイクユニット２２、バッテリ２３、アンテナ２４、回路基板２５、動作制御部２６及びＬＥＤ２７を備える。
【００２１】
筐体２１は、本体部２の外形を形成する。筐体２１は、長尺状、具体的には、概略直方体状の箱状の部材である。本実施形態では、筐体２１は樹脂製である。筐体２１は、内部にマイクユニット２２、バッテリ２３、アンテナ２４、回路基板２５、動作制御部２６及びＬＥＤ２７の各部品を収容する。ここで、クリップ部３の一端部は、筐体２１の長手方向一端の側壁（図３の左側の側壁）２１１を貫通して筐体２１の内部に位置している。上記各部品２２〜２７は、クリップ部３の一端部が貫通された側壁２１１側から筐体２１の長手方向に沿ってこの順番で配置されている。
【００２２】
なお、本明細書では、クリップ部３の一端部が貫通された側壁２１１に臨む面、つまり、図１Ｂの面をマイク装置１の正面とする。また、上方や下方といった用語を使うときは、図１Ａ〜図１Ｅのようにマイク装置１が載置された状態における上方及び下方を指すものとする。
【００２３】
図１Ｂに示すように、正面側の側壁２１１には、マイクユニット２２が集音するための貫通孔である集音孔２１１ａが、クリップ部３が貫通している貫通孔、つまり、側壁２１１におけるクリップ部３の付け根よりも下方に設けられている。なお、筐体２１の下方の壁部である下部カバー２１２は取り外し可能である。当該下部カバー２１２を取り外すことで、筐体２１の内部に収容されたマイクユニット２２等が図３のように露出する。
【００２４】
図３に戻り、マイクユニット２２は、ユーザの音声等を集音し、取得した音を電圧信号に変換する。マイクユニット２２は、変換した電圧信号を回路基板２５に出力する。
なお、マイクユニット２２は、筐体２１内に挿入されたクリップ部３よりも下方に配置されている。つまり、マイクユニット２２は、側壁２１１におけるクリップ部３の付け根を基準として、集音孔２１１ａと同じ側に配置されている。
【００２５】
バッテリ２３は、マイクユニット２２、アンテナ２４及び回路基板２５に電力を供給する偏平直方体状の部品である。
アンテナ２４は、マイク装置１の外部の無線通信装置と無線通信を行うための部品であ
る。アンテナ２４は、回路基板２５から入力されたデジタル信号を外部の無線通信装置へ送信する。なお、無線通信は、例えば、ブルートゥース（登録商標）である。
【００２６】
回路基板２５は、アナログの電圧信号をデジタル信号に変換するＡＤ変換回路やマイクユニット２２から入力される音声信号の音質調整のためのイコライザ回路などのほか、ＵＳＢ端子口２５ａも搭載された板状の部品である。ＵＳＢ端子口２５ａは、筐体２１の背面側の側壁２１４に形成された図１Ｄに示す開口２１４ａを通じて外部に露出している。例えば、ＵＳＢ端子口２５ａは、バッテリ２３への電源の供給、録音された音声データの抽出、回路基板２５の設定（プログラムのアップデート等）などに使用される。
【００２７】
また、回路基板２５は、筐体２１の長手方向中央部と、筐体２１の背面側の端部である背面端部（図３の右側の端部）と、の間に配置されている。前述したバッテリ２３は、筐体２１の長手方向中央部と、筐体２１の正面側の端部である正面端部（図３の左側の端部）と、の間に配置されている。ここでいう筐体２１、つまり、正面端部とは、側壁２１１及び本体部２における側壁２１１の近傍の部分を指す。バッテリ２３は、回路基板２５を含む筐体２１内の他の部品２２，２４〜２７よりも重量が重い。本実施形態では、バッテリ２３のため、本体部２の重心の位置が本体部２の正面端部側に位置している。
【００２８】
動作制御部２６は、回路基板２５に下方から設けられる。動作制御部２６が押されることにより、マイク装置１の動作、具体的にはマイク装置１の電源オン／オフ及び録音の開始／停止が制御される。すなわち、動作制御部２６が所定時間以上押されることにより、電源のオン／オフが切り替えられる。また、電源がオンである状態において動作制御部２６が複数回（例えば２回）連続して押されることにより録音が開始又は停止される。
【００２９】
本実施形態では、図１Ｅに示すように、下部カバー２１２における動作制御部２６の真下には、マイク装置１の外部に向けて突出した横長のスイッチ部２１２ａが形成されている。スイッチ部２１２ａをユーザが押すことで、動作制御部２６が押され、マイク装置１の電源オン／オフ及び録音の開始／停止が制御される。
【００３０】
ＬＥＤ２７は、回路基板２５に下方から設けられる。ＬＥＤ２７は、回路基板２５からの出力に応じて発光する。すなわち、図１Ｅに示すように、下部カバー２１２におけるＬＥＤ２７の真下には、下部カバー２１２を貫通する丸孔２１２ｂが形成されている。ＬＥＤ２７の光が丸孔２１２ｂを介して外部から視認可能になっている。本実施形態では、ＬＥＤ２７は、マイク装置１の電源がオンである場合に発光し、電源がオフである場合に発光しない。また、ＬＥＤ２７は、マイク装置１の電源がオンである状態において録音が実行されているときと録音が実行されていないときとでは異なる色で発光する。本実施形態では、ＬＥＤ２７は、電源がオンである状態において録音が実行されていないときは赤色で発光し、録音が実行されているときは緑色で発光する。このため、マイク装置１の電源がオンであるか否か、また、録音中か否かを外部から確認できるようになっている。
【００３１】
一方、図１Ａ〜図１Ｅに示すクリップ部３は、本体部２をユーザの衣服の襟に装着するためのものである。クリップ部３は、平板状の長尺状の部材を、筐体２１の上壁２１３に沿わせ、その長手方向一端部が正面側の側壁２１１の貫通孔に挿入されるように湾曲させた形状である。つまり、クリップ部３は、側面視Ｊ字状である。クリップ部３は、例えば樹脂製又は金属製である。
【００３２】
クリップ部３は、固定部３１、延在部３２及び連結部３３を備える。固定部３１は、本体部２に固定された部分である。本実施形態では、固定部３１は、図３に示すように、筐体２１に挿入されたクリップ部３の一端部における、筐体２１の上壁２１３の内面に固定された部分である。
【００３３】
延在部３２は、本体部２の長手方向に沿って延在している部分である。延在部３２は、本体部５の長手方向中央部をやや超えた位置まで延在している。延在部３２の大部分は、本体部５における対向面と略平行に離間している。延在部３２は、湾曲部３２１を有している。湾曲部３２１は、本体部２の長手方向中央部の位置で本体部２の対向面に接近するように谷状に湾曲している部位である。
【００３４】
連結部３３は、固定部３１及び延在部３２を連結する部分であって、Ｊ字形状における湾曲部を形成する。連結部３３は、側面視においてＵ字状である。
一方、図１Ｃ及び図１Ｄに示すように、本体部２における湾曲部３２１に対向する位置、具体的には、筐体２１の上壁２１３の外面における長手方向及び短手方向の略中央部には、突出した受け部２１３ａが設けられている。この受け部２１３ａは、クリップ部３の湾曲部３２１を受けるためのものである。湾曲部３２１及び受け部２１３ａは、マイク装置１が襟に装着されていない状態において互いに当接している。受け部２１３ａには、マイク装置１が襟に装着された際にマイク装置１がズレにくくなるように、ゴムやシリコンなどの摩擦の大きな素材が用いられる。
【００３５】
このマイク装置１は、ユーザの襟に次のようにして装着される。すなわち、挿入空間に襟の布がスライド移動されて挿入される。挿入空間は、延在部３２と本体部２との間の空間である。そして、挿入方向に沿った襟の布のスライド移動が連結部３３によって規制される。挿入方向は、本体部２の長手方向に沿った方向であって挿入空間に衣服の布が挿入される方向に対応する。挿入方向は、図１Ｃでは矢印Ａで示される。そして、延在部３２及び本体部２、具体的には、湾曲部３２１及び受け部２１３ａにより衣服の布が挟持される。本実施形態では、図２に示すように、本体部２が襟の内側に位置し、クリップ部３が襟の外側に位置するようにマイク装置１が襟に装着される。
【００３６】
ここで、襟の端部（襟元側の端部）が本体部２の正面端部よりも挿入方向に沿って突出した位置で、襟のスライド移動が規制され、マイク装置１が襟に装着される。正面端部は、本体部２の長手方向両端部のうち挿入方向前方側の端部である。
【００３７】
すなわち、図１Ｃに示すように、連結部３３の挿入空間側の面のうち最も挿入方向の奥側の部分、つまり、Ｕ字の最深部が、本体部２の正面端部よりも挿入方向に沿って突出している。換言すれば、Ｕ字の最深部と、本体部２の正面と、の本体部２の長手方向の距離ｘは、０ｍｍよりも大きい。このため、接触規制部の挿入方向の最も前方側（奥側）の部分が、本体部２の正面端部よりも挿入方向に沿って突出する。接触規制部は、連結部３３の挿入空間側の面における襟の端部に接触する部分であって挿入方向に沿った襟のスライド移動を規制する部分である。したがって、前述したように、襟の端部が本体部２の正面端部よりも挿入方向に沿って突出した位置で、襟の布のスライド移動が規制される。なお、襟の端部を挿入空間の奥まで差し込んでも、襟の布の厚み等との関係から、襟の端部がＵ字の最深部に接触するとは限らない。したがって、接触規制部の挿入方向の最も奥側の部分は、連結部３３におけるＵ字の最深部の周辺部分に位置することがあり得る。
【００３８】
以上詳述したマイク装置１は、例えば、次のような用途で使用されることが考えられる。すなわち、マイク装置１は、ユーザの音声データを取得し、取得した音声データをユーザの所持するスマートフォン等の機器に無線送信する。マイク装置１から送信される音声データは、マイク装置１で一旦録音された音声データであってもよく、リアルタイムで送信された音声データであってもよい。そして、スマートフォンにおいて音声データが処理される。そして、処理されたデータを用いて、例えば、スマートフォンによる外国語レッスンの提供等のサービスが行われる。
【００３９】
［１−２．効果］
（１）本実施形態では、連結部３３は、ユーザの襟の端部が本体部２の正面端部よりも挿入方向に沿って突出した位置でスライド移動を規制する。具体的には、連結部３３の接触規制部の最も挿入方向の奥側の部分が、本体部２の正面端部よりも挿入方向に突出している。
【００４０】
このような構成によれば、本体部２が襟の内側に位置し、クリップ部３が襟の外側に位置するようにマイク装置１が襟に装着された状態において、本体部２が襟で隠れるようにマイク装置１を装着することができる。したがって、目立ちにくいようにユーザの衣服に装着可能なマイク装置１を提供することができる。
【００４１】
（２）本実施形態では、本体部２の正面端部に、集音孔２１１ａ及びマイクユニット２２が設けられている。
このような構成によれば、集音孔２１１ａ及びマイクユニット２２が背面端部に設けられている構成と比較して、マイク装置１がユーザの襟に装着された際に、集音孔２１１ａ及びマイクユニット２２の位置が襟の縁に近くなる。また、集音孔２１１ａ及びマイクユニット２２をユーザの口元により近づけることができる。したがって、集音性を向上させることができる。
【００４２】
（３）本実施形態では、本体部２の重心が、正面端部側に位置している。したがって、本体部２の重心が背面端部側に位置している構成と比較して、マイク装置１が襟元に装着された際の安定性を向上させることができる。
【００４３】
（４）本実施形態では、本体部２の重心が本体部２の正面端部側に位置させるようにするため、回路基板２５よりも重量が大きいバッテリ２３が収容される。そして、バッテリ２３が、回路基板２５よりも本体部２の正面端部側に配置される。したがって、本体部２が収容する部品の位置関係を調節することによって、本体部２の重心を正面端部側に位置させることができる。
【００４４】
（５）本実施形態では、スイッチ部２１２ａは、筐体２１の下部カバー２１２に設けられている。換言すれば、スイッチ部２１２ａは、本体部２における延在部３２と対向する壁部２１３と反対側の壁部２１２に設けられている。したがって、延在部３２と対向する壁部２１３にスイッチ部２１２ａが設けられている構成と比較して、装着状態において、ユーザが指を襟の奥に入れてスイッチ部２１２ａを操作しやすくすることができる。ここでいう装着状態とは、本体部２が襟の内側に位置し、クリップ部３が襟の外側に位置するようにマイク装置１が襟に装着された状態を意味する。
【００４５】
なお、本実施形態では、正面端部が前方端部の一例に相当し、背面端部が後方端部の一例に相当する。
［２．第２実施形態］
［２−１．第１実施形態との相違点］
第２実施形態は、基本的な構成は第１実施形態と同様であるため、共通する構成については説明を省略し、相違点を中心に説明する。なお、第１実施形態と同じ符号は、同一の構成を示すものであって、先行する説明を参照する。
【００４６】
前述した第１実施形態では、マイクユニット２２及び集音孔２１１ａは本体部２に設けられている。これに対し、第２実施形態では、マイクユニット２２及び集音孔はクリップ部に設けられている点で、第１実施形態と相違する。
【００４７】
図４Ａ〜図４Ｅに示す第２実施形態のマイク装置４は、本体部５とクリップ部６とを備
える。
本体部５は、第１実施形態の本体部２と基本的に同様の構成であるが、次の点で本体部２と相違する。すなわち、本体部５は、マイクユニット２２を有していない。また、正面側、つまり挿入方向前方側の壁部５１２に形成された、クリップ部６を貫通させるための貫通孔の形状が相違する。さらに、本体部５の上壁５１３に受け部２１３ａが形成されていない。
【００４８】
クリップ部６は、第１実施形態のクリップ部３とは別部材である。すなわち、クリップ部６は、側面視においてＪ字状の樹脂製の部材である。クリップ部６は、内部が空洞に形成されている。クリップ部６は、図示しない固定部、延在部６２及び連結部６３を備える。
【００４９】
延在部６２は、本体部５の長手方向に沿って本体部５の長手方向中央部をやや超えた位置まで延在している。延在部６２は、本体部５における対向面と略平行に離間している。延在部６２は、当該延在部６２の本体部５の背面端部側の先端付近に、本体部５側に突出した半球状の突出部６２１を備える。突出部６２１の本体部５側の先端は、本体部５と接触している。このため、延在部６２と本体部５との間の挿入空間に挿入された襟の布は、突出部６２１及び本体部５により挟持される。また、突出部６２１には、マイク装置４がズレにくくなるように、ゴムやシリコンなどの摩擦の大きな素材が用いられる。
【００５０】
連結部６３の内部には、マイクユニット２２が設けられている。また、図４Ａに示すように、連結部６３における上壁６３１には集音孔６３１ａが形成されている。換言すれば、クリップ部６の壁部６４の挿入方向前方側の部分に集音孔６３１ａが形成されている。壁部６４は、延在部６２における本体部５との対向面と反対側の面を形成する。なお、連結部６３における接触規制部のうち挿入方向の最も奥側の部分と、本体部５の正面と、の本体部５の長手方向の距離ｘは、第１実施形態と同様に０ｍｍよりも大きい。
【００５１】
［２−２．効果］
以上詳述した第２実施形態によれば、前述した第１実施形態の効果（１）、（３）〜（５）に加え、以下の効果が得られる。
【００５２】
本実施形態では、クリップ部６に、集音孔６３１ａ及びマイクユニット２２が設けられている。したがって、本体部５が襟の内側に位置し、クリップ部６が衣服の外側に位置するようにマイク装置４が装着された状態において、集音孔６３１ａ及びマイクユニット２２を衣服の外側に位置させることができる。したがって、集音性を向上させることができる。
【００５３】
特に、本実施形態では、クリップ部６の壁部６４の挿入方向前方側の部分に集音孔６３１ａが形成されている。したがって、マイク装置４がユーザの衣服の襟元に装着されたときに、ユーザの口元に集音孔６３１ａを近づけやすくすることができる。
【００５４】
［３．第３実施形態］
［３−１．第２実施形態との相違点］
第３実施形態は、基本的な構成は第２実施形態と同様であるため、共通する構成については説明を省略し、相違点を中心に説明する。
【００５５】
第３実施形態では、前述した第２実施形態と同様にマイクユニット２２及び集音孔がクリップ部に設けられている。しかしながら、集音孔のクリップ部における位置が相違する。
【００５６】
図５Ａ〜図５Ｅに示す第３実施形態のマイク装置７は、第２実施形態と同様の本体部５と、クリップ部８と、を備える。
クリップ部８は、第２実施形態のクリップ部６と大きさ及び形状が同一である。その一方で、図５Ｂに示すように、クリップ部８の連結部８３の正面側の壁部８３１に、集音孔８３１ａが形成されている。
【００５７】
［３−２．効果］
以上詳述した第３実施形態によれば、前述した第２実施形態と同様の効果が得られる。
［４．第４実施形態］
［４−１．第１実施形態との相違点］
第４実施形態は、基本的な構成は第１実施形態と同様であるため、共通する構成については説明を省略し、相違点を中心に説明する。第４実施形態は、クリップ部の構成、スイッチ部の位置等の点で第１実施形態と相違する。
【００５８】
図６Ａ〜図６Ｅに示す第４実施形態のマイク装置９は、本体部１０とクリップ部１１とを備える。
図７Ａ及び図７Ｂに示すように、本体部１０は、筐体１０１、マイクユニット１０２、図７Ｂに示すバッテリ１０３、アンテナ１０４、回路基板１０５、動作制御部１０６及びＬＥＤ１０７を備える。各部品１０１〜１０７は、前述した第１の実施形態の各部品２１〜２７と同様の機能を備える。なお、図６Ｂに示すように、筐体１０１の正面側の側壁１０１１には集音孔１０１１ａが形成されている。
【００５９】
本実施形態では、筐体１０１の内部におけるマイクユニット１０２を除く各部品１０３〜１０７の配置が第１実施形態と異なる。各部品１０３〜１０７は、重ねて配置される。
具体的には、バッテリ１０３は、平面視で長方形状である。バッテリ１０３は、平面視で筐体１０１の大きさよりもわずかに小さい大きさを備える。
【００６０】
回路基板１０５は、平面視における形状がバッテリ１０３と略同形状である。すなわち、回路基板１０５は、平面視で長方形状である。回路基板１０５は、平面視で筐体１０１の大きさよりもわずかに小さい大きさを備える。回路基板１０５は、当該回路基板１０５がバッテリ１０３の下方に位置するようにバッテリ１０３に重ねて配置される。なお、回路基板１０５に搭載されたＵＳＢ端子口１０５ａは、図６Ｄに示す筐体１０１の背面側の側壁１０１３に形成された開口１０１３ａを通じて外部に露出している。
【００６１】
アンテナ１０４は、当該アンテナ１０４が回路基板１０５の下方に位置するように回路基板１０５に重ねて配置される。アンテナ１０４の筐体１０１の長手方向に沿った方向の長さは回路基板１０５よりも短い。アンテナ１０４は、回路基板１０５の長手方向略中央部に配置される。
【００６２】
動作制御部１０６は、当該動作制御部１０６が回路基板１０５の下方に位置するように回路基板１０５に重ねて配置される。動作制御部１０６の筐体１０１の長手方向に沿った方向の長さは回路基板１０５よりも短い。動作制御部１０６は、本体部１０の長手方向中央部よりも正面端部側に位置している。特に、動作制御部１０６は、アンテナ１０４よりも本体部１０の正面端部に配置されている。
【００６３】
図６Ｅ及び図７Ｂに示すように、動作制御部１０６の一部が下部カバー１０１２から露出しており、横長のスイッチ部１０１２ａを形成している。本実施形態では、動作制御部１０６は本体部１０における長手方向中央部よりも正面端部側に位置している。このため、スイッチ部１０１２ａも本体部１０における長手方向中央部よりも正面端部側に位置している。具体的には、スイッチ部１０１２ａは、本体部１０の前方端部又は本体部１０に
おける前方端部の近傍に設けられている。
【００６４】
また、スイッチ部１０１２ａを本体部１０の長手方向に沿って前後にスライドさせることで、マイク装置９の電源がオン又はオフされる。また、マイク装置９の電源がオンされることで、録音が開始される。本実施形態では、スイッチ部１０１２ａが背面端部側にスライドされた状態（図６Ｅに示す状態）でマイク装置９の電源がオンになる。一方、スイッチ部１０１２ａが正面端部側にスライドされた状態でマイク装置９の電源がオフになる。すなわち、マイク装置９の電源をオンにする際にスイッチ部１０１２ａをスライドさせる方向とユーザがマイク装置９を襟に差し込む方向とが対応する。また、マイク装置９の電源をオフにする際にスイッチ部１０１２ａをスライドさせる方向とユーザがマイク装置９を襟から引き抜く方向とが対応する。このため、マイク装置９を襟に差し込む又は引き抜く動作と、マイク装置９の電源をオン又はオフさせる動作を連動させて行うことができる。
【００６５】
図７Ａに戻り、ＬＥＤ１０７は、当該ＬＥＤ１０７が回路基板１０５の下方に位置するように回路基板１０５に重ねて配置される。また、図６Ｅに示すように、下部カバー１０１２におけるＬＥＤ１０７の真下には、ＬＥＤ１０７の光を外部から視認可能にするための小孔１０１２ｂが設けられている。本実施形態では、ＬＥＤ１０７及び小孔１０１２ｂは、マイク装置９が襟に装着されている状態でユーザがスイッチ部１０１２ａ（動作制御部１０６）を操作する際に、ユーザの指で隠れない位置に配置されている。具体的には、ＬＥＤ１０７及び小孔１０１２ｂは、スイッチ部１０１２ａよりも背面端部側に、スイッチ部１０１２ａとある程度間隔を空けて配置されている。
【００６６】
なお、下部カバー１０１２における筐体１０１の背面側の側壁１０１３の近傍には、小孔１０１２ｃが形成されている。この小孔１０１２ｃの先には、マイク装置９に発生したエラーをリセットするための図示省略するリセットボタンが設けられている。
【００６７】
一方、図６Ａ〜図６Ｅ及び図７Ａに示すクリップ部１１は、金属製の部品であり、固定部１１１、延在部１１２及び連結部１１３を備える。
延在部１１２は、側面視で直線状であり、本体部１０の長手方向中央部を超えた位置まで延在している。延在部１１２は、マイク装置９が襟に装着されていない状態において、側面視で本体部１０に対して背面端部側に傾いている。具体的には、本体部１０の背面端部に行くにつれて延在部１１２と本体部１０とが接近し、延在部１１２の長手方向の一端部（背面端部側の先端部）が本体部１０に当接している。
【００６８】
連結部１１３は、側面視においてＵ字状である。本実施形態では、連結部１１３における延在部１１２との接続部はヒンジ部１１３ａとして構成される。延在部１１２は、ヒンジ部１１３ａを回動軸として連結部１１３及び本体部１０に対して回動可能に構成される。すなわち、延在部１１２の長手方向の他端部（正面端部側の先端部）を本体部１０側（図６Ｃの下側）に押すことで、延在部１１２の長手方向の一端部（背面端部側の先端部）が本体部１０から離間する。そして、延在部１１２の上記一端部が本体部１０から離間した状態で、延在部１１２と本体部１０との間の挿入空間に衣服の布が挿入される。そして、延在部１１２の上記他端部に加えられている力を解除することで、延在部１１２の上記一端部が本体部１０側に付勢され、延在部１１２及び本体部１０により衣服の布が挟持される。本実施形態では、ヒンジ部１１３ａは、本体部１０の長手方向において正面端部又は正面端部の近傍に位置している。換言すれば、ヒンジ部１１３ａは、本体部１０の長手方向中央部において本体部１０の中央部よりも正面端部側に位置している。このように、本実施形態では、ヒンジ部１１３ａは、筐体１０１、換言すれば、本体部１０の外部に設けられる。
【００６９】
なお、連結部１１３における接触規制部のうち挿入方向の最も奥側の部分と、本体部１０の正面と、の本体部１０の長手方向の距離ｘは、第１実施形態と同様に０ｍｍよりも大きい。
【００７０】
図６Ａ〜図６Ｅに示すマイク装置９は、図８Ａ〜図８Ｆに示す装置１２（以下「ドック１２」という。）に収容されてセットされる。マイク装置９を図９Ａ〜図９Ｆに示すようにドック１２にセットすることで、マイク装置９に録音された音声データがスマートフォン等の機器に転送される。
【００７１】
ドック１２は、略直方体状の外観形状を備える。ドック１２の上面には、図８Ｆに示すように、マイク装置９を差し込むための直方体状の凹部１２１が形成されている。すなわち、図９Ａ〜図９Ｆに示すように、マイク装置９は、立てられた状態でドック１２にセットされる。
【００７２】
本実施形態では、凹部１２１の後方（図８Ｆの右側）には直方体状の凹部１２２が形成されている。この凹部１２２は、ユーザがマイク装置９をドック１２から取り外す際にユーザの指が入る空間を確保することで、マイク装置９を取り外しやすくするためのものである。具体的には、凹部１２１とその後方の凹部１２２とにより、ドック１２の上面に形成された窪みは側面視で階段状に形成される。具体的には、上記窪みは、凹部１２１の底面を形成する第１底面１２１ａと、凹部１２２の底面を形成し、第１底面１２２ａよりも高い第２底面１２２ａと、を備える。
【００７３】
第１底面１２１ａには、図８Ａ及び図８Ｆに示す接触端子１２１ｂが設けられている。接触端子１２１ｂは、マイク装置９がドック１２にセットされた状態において、図７Ａに示すマイク装置９のＵＳＢ端子口１０５ａと接触される。
【００７４】
本実施形態では、ドック１２に図９Ｃ及び図９Ｆ等に示すマイクロＵＳＢケーブル１２３が着脱可能に接続され、マイクロＵＳＢケーブル１２３を介してドック１２とスマートフォン等の機器とが接続される。そして、ドック１２とスマートフォン等の機器とが接続された状態において接触端子１２１ｂとマイク装置９のＵＳＢ端子口１０５ａとが接触すると、マイク装置９に録音された音声データのスマートフォン等への転送が開始される。
【００７５】
また、図９Ｆに示すように、マイク装置９の本体部１０とクリップ部１１とによりドック１２の正面側の側壁１２４が挟まれるようにしてマイク装置９がドック１２にセットされる。
【００７６】
図８Ｂ及び図８Ｆ等に示すように、側壁１２４の外面には、当該側壁１２４の左右方向の中央部において上下方向に延在した溝部１２４ａが形成されている。溝部１２４ａには、マイク装置９がドック１２にセットされた状態においてクリップ部１１がはめ込まれる。この溝部１２４ａは、ユーザがマイク装置９をドック１２にどのようにセットすればよいかをわかりやすくするために設けられる。
【００７７】
なお、図８Ｅに示すように、ドック１２の底壁１２５には、ドック１２を出荷時の状態に戻すように構成されたリセットボタン１２５ａが設けられている。
［４−２．効果］
以上詳述した第４実施形態によれば、前述した第１実施形態の効果（１）〜（３）、（５）に加え、以下の効果が得られる。
【００７８】
（１）本実施形態では、マイク装置９のスイッチ部１０１２ａが、本体部１０における前方端部側に設けられている。換言すれば、スイッチ部１０１２ａは、クリップ部３の付
け根がある側壁１０１１の近傍に設けられている。よって、スイッチ部１０１２ａが本体部１０における後方端部側に設けられている構成と比較して、マイク装置９が衣服に装着された状態においてユーザがスイッチ部１０１２ａを操作しやすくできる。
【００７９】
（２）本実施形態では、ヒンジ部１１３ａは、本体部１０の正面端部側に位置している。したがって、本体部１０の重心を正面端部側に位置させることができる。
［５．第５実施形態］
［５−１．第４実施形態との相違点］
第５実施形態は、基本的な構成は第４実施形態と同様であるため、共通する構成については説明を省略し、相違点を中心に説明する。
【００８０】
前述した第４実施形態では、ヒンジ部１１３ａは本体部１０の外部に設けられる。これに対し、第５実施形態では、ヒンジ部が本体部の内部に設けられている点で、第４実施形態と相違する。
【００８１】
図１０Ａ〜図１０Ｅに示す第５実施形態のマイク装置１３は、本体部１４とクリップ部１５とを備える。
本体部１４は、筐体１４１と、第４実施形態と同様の部品１０２〜１０７と、を備える。筐体１４１は、後述するように、クリップ部１５を貫通させるための貫通孔の形状が第４実施形態と相違する。なお、本体部１４の内部構成、特に、各部品１０２〜１０７の配置は基本的に第４実施形態と同様である。
【００８２】
クリップ部１５は、固定部１５１、延在部１５２及び２つの連結部１５３ａ，１５３ｂを備える。
延在部１５２は、側面視で直線状であり、本体部１４の長手方向中央部を超えた位置まで延在している。延在部１５２は、マイク装置１３が襟に装着されていない状態において、背面端部側に傾いている。すなわち、本体部１４の背面端部側に行くにつれて、延在部１５２と本体部１４とが接近する。
【００８３】
延在部１５２は、当該延在部１５２の本体部１４の背面端部側の先端付近に、本体部１４側に突出した２つの半円板状の突出部１５２ａ，１５２ｂを備える。突出部１５２ａ，１５２ｂは、本体部１４の長手方向において互いに同位置に設けられる。また、突出部１５２ａ，１５２ｂは、図１０Ｄに示すように、半円状の面が互いに対向するように、左右方向に互いに離間して配置される。突出部１５２ａ，１５２ｂの本体部１４側の先端は本体部１４と接触し、突出部１５２ａ，１５２ｂと本体部１４とにより布が挟持される。
【００８４】
２つの連結部１５３ａ，１５３ｂは、固定部１５１と延在部１５２とを連結する。連結部１５３ａ，１５３ｂは、側面視において共に円弧状である。連結部１５３ａ，１５３ｂは、図１０Ｂに示すように左右方向に互いに離間して配置される。
【００８５】
本実施形態では、本体部１４は、当該本体部１４の内部にヒンジ部１５４を備え、ヒンジ部１５４に連結部１５３ａ，１５３ｂが接続されている。すなわち、連結部１５３ａ，１５３ｂのヒンジ部１５４との接続部が固定部１５１である。
【００８６】
本実施形態では、ヒンジ部１５４は、筐体１４１の上壁１４１３側に設けられる。また、ヒンジ部１５４は、本体部１０の長手方向中央部よりも正面端部側、換言すれば、正面側の側壁１４１１の近傍に設けられる。
【００８７】
延在部１５２及び連結部１５３ａ，１５３ｂは、ヒンジ部１５４を回動軸として本体部１４に対して回動可能である。そして、延在部１５２及び連結部１５３ａ，１５３ｂを本
体部１４に対して回動させることで、延在部１５２の突出部１５２ａ，１５２ｂと本体部１４とが離間し、延在部１５２と本体部１４との間の挿入空間に布が挿入可能になる。
【００８８】
なお、本実施形態では、２つの連結部１５３ａ，１５３ｂのそれぞれを貫通させるために、本体部１０の正面側の側壁１４１１には左右方向に離間した２つの貫通孔１４１１ａ，１４１１ｂが形成されている。貫通孔１４１１ａ，１４１１ｂは、クリップ部１５の回動移動を許容するために、上下方向に延びて形成されている。
【００８９】
図１１には、マイク装置１３の襟への装着方法の一例が示されている。図１１の例では、ユーザから見て右の襟に、ユーザが左手でマイク装置１３を差し込む場合が示されている。ユーザは、例えばクリップ部１５の先端に人差し指を掛け、本体部１４の下部カバー１４１２の正面端部側に親指を掛ける。そして、クリップ部１５を回動させてクリップ部１５の先端と本体部１４とを離間させ、マイク装置１３を襟１６に差し込む。これにより、マイク装置１３が装着される。
【００９０】
なお、本体部１４とクリップ部１５との間に差し込まれる衣服の布が薄い場合は、クリップ部１５を回動させずに衣類の布をマイク装置１３に差し込むことができる。
［５−２．効果］
以上詳述した第５実施形態によれば、前述した第４実施形態と同様の効果が得られる。
【００９１】
［６．他の実施形態］
以上、本開示を実施するための形態について説明したが、本開示は上述の実施形態に限定されることなく、種々変形して実施することができる。
【００９２】
（１）上記第１実施形態において、マイク装置１が衣服に装着された状態においてマイク装置１をズレにくくするため、金属製のクリップ部３が使用され、本体部２の上端部に磁石が設けられてもよい。ここで、磁石は、例えば、筐体２１の上壁２１３の中に設けられてもよく、上壁２１３の内面に固定されて設けられてもよい。これにより、本体部２及びクリップ部３による挟持力を高め、マイク装置１をズレにくくすることができる。
【００９３】
（２）上記第１実施形態では、正面側の側壁２１１に集音孔２１１ａが形成され、マイクユニット２２は筐体２１内で集音孔２１１ａから少し離れて配置されるが、マイクユニット２２の配置の仕方はこれに限られるものではない。例えば、マイクユニット２２は、当該マイクユニット２２における外部の空気振動を捉えるための振動面が筐体２１から露出して設けられてもよい。この場合において例えば、マイクユニット２２は、振動面が正面側の側壁２１１から露出して設けられてもよい。
【００９４】
（３）上記第２及び第３実施形態では、集音孔６３１ａ，８３１ａ及びマイクユニット２２は連結部６３，８３に設けられているが、集音孔及びマイクユニットが設けられる位置はこれに限られるものではない。集音孔及びマイクユニットは、例えば、延在部に設けられてもよい。
【００９５】
（４）上記第１〜第３実施形態において、下部カバー２１２のスイッチ部２１２ａ及び丸孔２１２ｂの位置及び形状等を上記第４及び第５実施形態と同様にしてもよい。また、上記第１〜第３実施形態のマイク装置１，４，７において、上記第４及び第５実施形態のようにリセットボタン及び小孔１０１２ｃが設けられてもよい。また、第１〜第３実施形態のマイク装置１，４，７の内部構成を、上記第４及び第５実施形態のマイク装置９，１３と同様にしてもよい。
【００９６】
（５）上記各実施形態における１つの構成要素が備える複数の機能を、複数の構成要素
によって実現したり、１つの構成要素が備える１つの機能を、複数の構成要素によって実現したりしてもよい。また、複数の構成要素が備える複数の機能を、１つの構成要素によって実現したり、複数の構成要素によって実現される１つの機能を、１つの構成要素によって実現したりしてもよい。また、上記各実施形態の構成の一部を省略してもよい。また、上記各実施形態の構成の少なくとも一部を、他の上記各実施形態の構成に対して付加又は置換してもよい。なお、請求の範囲に記載した文言によって特定される技術思想に含まれるあらゆる態様が本開示の実施形態である。
【図１】
2018147434.tif 000003
【図２】
2018147434.tif 000004
【図３】
2018147434.tif 000005
【図４】
2018147434.tif 000006
【図５】
2018147434.tif 000007
【図６】
2018147434.tif 000008
【図７】
2018147434.tif 000009
【図８】
2018147434.tif 000010
【図９】
2018147434.tif 000011
【図１０】
2018147434.tif 000012
【図１１】
2018147434.tif 000013
【国際調査報告】
2018147434.tif 000014
2018147434.tif 000015
2018147434.tif 000016
2018147434.tif 000017